(57)【特許請求の範囲】
【請求項１】
第１の通信局と複数のリモート通信局との間の通信を促進するために前記第１の通信局を操作する方法であって、前記第１の通信局は複数の送信アンテナを備え、
前記複数のリモート通信局のそれぞれについて、前記第１の通信局と前記リモート通信局との間のチャネル条件についての情報を取得するステップであって、各リモート通信局についての前記チャネル条件情報が、前記リモート通信局の位置に関する情報と、前記第１の通信局と前記リモート通信局との間の送信に関連するエラー・インジケータとを含む、ステップと、
前記リモート通信局についての前記チャネル条件情報に基づいて、１つの指定コードブック・サブセットから、各リモート通信局についてのコードブック重み付けマトリクスを選択するステップであって、前記指定コードブック・サブセットが、少なくとも６つのコードブック重み付けマトリクスを含み、前記コードブック重み付けマトリクスのそれぞれが１つ又は複数の層関連列を含み、前記層関連列のそれぞれが複数の複合重み付け値を含み、その絶対値が０と１の間の範囲内にあり、前記少なくとも６つのコードブック重み付けマトリクスのうちの２つ以上が、２つの層関連列を有し、前記指定コードブック・サブセット内の選択された前記コードブック重み付けマトリクスが、コードブックインデックス及び層数に対応する、ステップと、
選択された各コードブック重み付けマトリクスを使用して、各リモート通信局のためのプリコーディング・データストリームによって、各送信アンテナのための送信信号を生成するステップであって、各リモート通信局のために、プリコーディングは、選択された各コードブック重み付けマトリクスで、１つ又は複数の層信号をプリコーディングすることを含む、ステップと、
前記送信アンテナを介して前記送信信号をそれぞれ送信するステップと、を含み、
前記指定コードブック・サブセットが、以下に示されるように定義される、方法。
【表１】
0005792058.tif 000002
【請求項２】
第１の通信局と複数のリモート通信局との間の通信を促進するために前記第１の通信局を操作する方法であって、前記第１の通信局は複数の送信アンテナを備え、
前記複数のリモート通信局のそれぞれについて、前記第１の通信局と前記リモート通信局との間のチャネル条件についての情報を取得するステップであって、各リモート通信局についての前記チャネル条件情報が、前記リモート通信局の位置に関する情報と、前記第１の通信局と前記リモート通信局との間の送信に関連するエラー・インジケータとを含む、ステップと、
前記リモート通信局についての前記チャネル条件情報に基づいて、１つの指定コードブック・サブセットから、各リモート通信局についてのコードブック重み付けマトリクスを選択するステップであって、前記指定コードブック・サブセットが、少なくとも７つのコードブック重み付けマトリクスを含み、前記コードブック重み付けマトリクスのそれぞれが１つ又は複数の層関連列を含み、前記層関連列のそれぞれが複数の複合重み付け値を含み、その絶対値が０と１の間の範囲内にあり、前記指定コードブック・サブセットが、同じ長さの複数の単一列コードブック重み付けマトリクスを含み、前記指定コードブック・サブセットが、２つの層関連列を有する少なくとも１つのコードブック重み付けマトリクスを含む、ステップと、
選択された各コードブック重み付けマトリクスを使用して、各リモート通信局のためのプリコーディング・データストリームによって、各送信アンテナのための送信信号を生成するステップであって、各リモート通信局のために、プリコーディングは、選択された各コードブック重み付けマトリクスで、１つ又は複数の層信号をプリコーディングすることを含む、ステップと、
前記送信アンテナを介して前記送信信号をそれぞれ送信するステップと、
を含む方法。
【請求項３】
前記指定コードブック・サブセットが、以下に示されるように定義される請求項２に記載の方法。
【表２】
0005792058.tif 000003
【請求項４】
前記指定コードブック・サブセットが、以下に示されるように定義される請求項２に記載の方法。
【表３】
0005792058.tif 000004
【請求項５】
前記指定コードブック・サブセットが、以下に示されるように定義される請求項２に記載の方法。
【表４】
0005792058.tif 000005
【請求項６】
複数のリモート通信局と通信するための装置であって、
複数の送信アンテナと、
前記複数のリモート通信局のそれぞれについて、前記装置と前記リモート通信局との間のチャネル条件についての情報を取得するように構成された信号処理モジュールであって、各リモート通信局についての前記チャネル条件情報が、前記リモート通信局の位置に関する情報と、前記装置と前記リモート通信局との間の送信に関連するエラー・インジケータとを含み、前記信号処理モジュールが、さらに、前記リモート通信局についての前記チャネル条件情報に基づいて、１つの指定コードブック・サブセットから、各リモート通信局についてのコードブック重み付けマトリクスを選択するように構成され、前記指定コードブック・サブセットが、少なくとも６つのコードブック重み付けマトリクスを含み、前記コードブック重み付けマトリクスのそれぞれが１つ又は複数の層関連列を含み、前記層関連列のそれぞれが複数の複合重み付け値を含み、その絶対値が０と１の間の範囲内にあり、前記指定コードブック・サブセット内の選択された前記コードブック重み付けマトリクスが、コードブックインデックス及び層数に対応する、信号処理モジュールと、
選択された各コードブック重み付けマトリクスを使用して、各リモート通信局のためのプリコーディング・データストリームによって、各送信アンテナのための送信信号を生成するように構成されたプリコーディングユニットであって、各リモート通信局のために、プリコーディングは、選択された各コードブック重み付けマトリクスで、１つ又は複数の層信号をプリコーディングすることを含む、プリコーディングユニットと、
前記送信アンテナを介して前記送信信号をそれぞれ送信するように構成された送信機とを備え、
前記指定コードブック・サブセットが、以下に示されるように定義される、伝送装置。
【表５】
0005792058.tif 000006
【請求項７】
複数のリモート通信局と通信するための装置であって、
複数の送信アンテナと、
前記複数のリモート通信局のそれぞれについて、前記装置と前記リモート通信局との間のチャネル条件についての情報を取得するように構成された信号処理モジュールであって、各リモート通信局についての前記チャネル条件情報が、前記リモート通信局の位置に関する情報と、前記装置と前記リモート通信局との間の送信に関連するエラー・インジケータとを含み、前記信号処理モジュールが、さらに、前記リモート通信局についての前記チャネル条件情報に基づいて、１つの指定コードブック・サブセットから、各リモート通信局についてのコードブック重み付けマトリクスを選択するように構成され、前記指定コードブック・サブセットが、少なくとも７つのコードブック重み付けマトリクスを含み、前記コードブック重み付けマトリクスのそれぞれが１つ又は複数の層関連列を含み、前記層関連列のそれぞれが複数の複合重み付け値を含み、その絶対値が０と１の間の範囲内にあり、前記指定コードブック・サブセットが、同じ長さの複数の単一列コードブック重み付けマトリクスを含み、前記指定コードブック・サブセットが、２つの層関連列を有する少なくとも１つのコードブック重み付けマトリクスを含む、信号処理モジュールと、
選択された各コードブック重み付けマトリクスを使用して、各リモート通信局のためのプリコーディング・データストリームによって、各送信アンテナのための送信信号を生成するように構成されたプリコーディングユニットであって、各リモート通信局のために、プリコーディングは、選択された各コードブック重み付けマトリクスで、１つ又は複数の層信号をプリコーディングすることを含む、プリコーディングユニットと、
前記送信アンテナを介して前記送信信号をそれぞれ送信するように構成された送信機とを備える装置。
【請求項８】
前記指定コードブック・サブセットが、以下に示されるように定義される請求項７に記載の伝送装置。
【表６】
0005792058.tif 000007
【請求項９】
前記指定コードブック・サブセットが、以下に示されるように定義される請求項７に記載の伝送装置。
【表７】
0005792058.tif 000008
【請求項１０】
前記指定コードブック・サブセットが、以下に示されるように定義される請求項７に記載の伝送装置。
【表８】
0005792058.tif 000009
【発明の詳細な説明】
【技術分野】
【０００１】
関連出願
本願は、２００８年４月２９日出願の仮特許出願第６０／０４８７１６号に関連し、米国特許法第１１９条（ｅ）項の下でこうした先の出願に対する優先権を主張する。この仮特許出願はさらに、参照により本特許出願に組み込まれる。
【０００２】
複数の送信アンテナを有するモバイル通信システムでコードブック・サブセットを選択するシステムおよび方法。
【背景技術】
【０００３】
音声サービスおよび高速データ・サービスを提供することがモバイル・ワイヤレス・オペレータに対してますます求められており、同時に、こうしたオペレータは、全体のネットワーク・コストを削減し、サービスが加入者にとって手頃なものとなるように、基地局ごとにサポートするユーザをより多くすることを望む。その結果、データ転送速度をより高速にし、キャパシティを高めることを可能にするワイヤレス・システムが求められている。ワイヤレス・サービスにとって利用可能なスペクトルは限られており、固定帯域幅内のトラフィックを増大させる以前の試みにより、システム内の干渉が増大し、信号品質が低下している。
【０００４】
従来技術の全方向性アンテナが基地局で使用されるとき、１つの問題が存在する。それは、各ユーザの信号の送信／受信が、ネットワーク上の同一のセル位置内に位置する他のユーザに対する干渉源となり、全体のシステム干渉が限定されるからである。そのような全方向性アンテナが図１（ａ）に示されている。こうした従来のモバイル・セルラ・ネットワーク・システムでは、基地局は、セル内のモバイル・ユニットの位置に関する情報を持たず、無線カバレッジを提供するためにセル内のすべての方向に信号を放射する。この結果、同一周波数を使用する隣接セル、いわゆる同一チャネル・セルについて干渉が引き起こされることに加えて、到達するモバイル・ユニットがないときに送信時の電力が浪費される。同様に、受信では、アンテナが、雑音および干渉を含む、すべての方向から来る信号を受信する。
【０００５】
このタイプの干渉を低減するための効果的な方法は、送信機および受信機で複数のアンテナをサポートする多入力多出力（ＭＩＭＯ）技術を使用することである。セルラ・ネットワーク上のダウンリンクなどの複数アンテナ・ブロードキャスト・チャネルについて、セルを複数のセクタに分割し、セクタ化アンテナ［ｓｅｃｔｏｒｉｚｅｄ  ａｎｔｅｎｎａｓ］を使用して複数のユーザと同時に通信することによってダウンリンク・スループットを最大にする送信／受信方法が開発されている。そのようなセクタ化アンテナ技術は、著しく改善された解決策を提供して、干渉レベルを低減し、システム・キャパシティを改善する。
【０００６】
セクタ化アンテナ・システムは、通信セッションに関係する複数の受信機（ユーザ装置、携帯電話など）と同時に通信する中央送信機（セル・サイト／タワー）によって特徴付けられる。この技術では、各ユーザの信号が、基地局によってその特定のユーザの方向のみで送信および受信される。これにより、システムがシステム内の全体的干渉を著しく低減することが可能となる。図１（ｂ）に示されるセクタ化アンテナ・システムは、システム内の各ユーザに向けて、またはユーザの位置に基づくセルラ・ネットワーク内の異なる方向に向けて異なる送信／受信ビームを送るアンテナのアレイからなる。
【０００７】
基地局の放射パターンは、送信と受信のどちらでも、各ユーザがそのユーザの方向で最高の利得を得るように適合される。セクタ化アンテナ技術を使用することにより、かつセル内のモバイル・ユニットの空間位置を活用することにより、空間分割多元接続（ＳＤＭＡ）と呼ばれる通信技法が性能を向上させるために開発された。空間分割多元接続（ＳＤＭＡ）技法は、本質的には、ビーム形成および／またはプリコーディングによって同時に送信する複数の無相関空間パイプ［ｕｎｃｏｒｒｅｌａｔｅｄ  ｓｐａｔｉａｌ  ｐｉｐｅｓ］を作成し、それにより、多元接続無線通信システムよりも優れた性能を提供することができる。
【０００８】
信号の送信および受信を直交するように向ける［ｏｒｔｈｏｇｏｎａｌｌｙ  ｄｉｒｅｃｔｉｎｇ  ｔｒａｎｓｍｉｓｓｉｏｎｓ  ａｎｄ  ｒｅｃｅｐｔｉｏｎ  ｏｆ  ｓｉｇｎａｌｓ］この方法は、ビーム形成と呼ばれ、基地局での高度な信号処理によって可能にされる。ビーム形成では、各ユーザの信号に、各アンテナへの信号および各アンテナからの信号の大きさおよび位相を調節する複素数の重みが乗じられる。これにより、セクタ化アンテナのアレイからの出力が所望の方向の送信／受信ビームを形成し、他の方向の出力が最小限に抑えられ、そのことを図２で図式的に見ることができる。
【０００９】
直交プリコーダを使用して空間的に直交するビーム形成伝送に対して重み付けを加える周知の方法が、従来のマルチユーザ複数アンテナ・システム[ｍｕｌｔｉ−ｕｓｅｒ  ｍｕｌｔｉｐｌｅ  ａｎｔｅｎｎａ  ｓｙｓｔｅｍｓ]で存在するが、この周知の方法およびシステムは、プリコーディング操作では最適化されず、それによって、ネットワーク上の性能を最適化することができない。本発明はこうした問題を解決する。さらに、単一の基地局での多数のアンテナの設置が、本発明で解決される多くの課題を有することがある。データ転送速度の要求は引き続き増大するが、利用可能なスペクトル帯は恐らくは限定されるので、本発明は、セルラ・ネットワークでのプリコーディングのための周知の方法に勝る、利用可能なスペクトルの拡張もサポートする。
【００１０】
特定のネットワーク構成または通信システム上で使用される用語に応じて、システム上の様々な構成要素が異なる名前で呼ばれることがある。例えば、「ユーザ装置」は、ケーブル・ネットワーク[ｃａｂｌｅｄ  ｎｅｔｗｏｒｋ]上のＰＣ、ならびにインターネット・アクセス、Ｅメール、メッセージング・サービスなどの様々な特徴および機能を有する移動端末（「携帯電話」）の様々なメイク[ｍａｋｅｓ]およびモデルで体験することのできる、ワイヤレス接続性によってセルラ・ネットワークに直接的に結合された他のタイプの装置を包含する。
【００１１】
さらに、「受信機」および「送信機」という語が、どの方向に通信が送信および受信されているかに応じて、「アクセス・ポイント（ＡＰ）」、「基地局」、および「ユーザ」と呼ばれることがある。例えば、ダウンリンク環境では、アクセス・ポイントＡＰまたは基地局（ｅＮｏｄｅＢまたはｅＮＢ）は送信機であり、ユーザは受信機であるのに対して、アップリンク環境では、アクセス・ポイントＡＰまたは基地局（ｅＮｏｄｅＢまたはｅＮＢ）は受信機であり、ユーザは送信機である。こうした用語（送信機や受信機など）は、制限的に定義されることを意味するものではなく、ネットワーク上に位置する様々な移動体通信ユニットまたは送信装置を含むことができる。
【発明の概要】
【００１２】
本発明は、ＳＤＭＡセクタ化セルラ・ネットワークでの信号強度重み付けの改良型の適用を提供する。改良型信号強度重み付け適用が、新しいコードブック・サブセットからの改良型の重み付けの選択を介して、またはより大きなコードブック・サブセットからの重み付けの選択によって実施される。別の実施形態では、アンテナ・ビーム索引またはビットマップを使用して、ＳＤＭＡセクタ化セルラ・ネットワークで最良のビーム（複数可）を選択することができる。別の実施形態では、アップリンクまたはダウンリンク伝送パケット内のフィールドまたは因子が、どの指向性伝送ビームが伝送に最も適しているか、または指向性伝送ビームをいつ活動化すべきかを指定することができる。
【００１３】
同様の番号が同様の要素を表す添付の図面と共に読むときに、以下の詳細な説明および添付の特許請求の範囲から、本発明の目的および特徴をより容易に理解されよう。
【図面の簡単な説明】
【００１４】
【図１】全方向性アンテナ（ａ）およびセクタ化アンテナ（ｂ）の図である。
【図２】所望のユーザに向けられた重み付けセクタ化伝送ビームの図である。
【図３】プリコーディングを使用する複数アンテナ伝送システムの図である。
【図４】一定係数に関するコードブック・サブセット・テーブルである。
【図５】アンテナ選択に関するコードブック・サブセット・テーブルである。
【図６】プリコーディング・コードブック・サブセット・テーブルである。
【図７】プリコーディング・コードブック・サブセット・テーブルである。
【図８】本発明で提案されるプリコーディング・コードブック・サブセット・テーブルである。
【図９】本発明で提案されるプリコーディング・コードブック・サブセット・テーブルである。
【図１０】本発明で提案されるより大きなプリコーディング・コードブック・サブセット・テーブルである。
【図１１】本発明で提案されるプリコーディング・コードブック・サブセット・テーブルである。
【発明を実施するための形態】
【００１５】
図１（ａ）では、矢印１２５、１１５、１３５、および１４０で示される様々な方向に、半径方向外向きに等しく送信する全方向性アンテナ１０５の全体的伝送アーキテクチャ１００を示す。カバレッジ・エリアの外周が、伝送アーキテクチャ１００に関するエリア１２０で示されている。図１（ｂ）に示されるセクタ化アンテナ・アーキテクチャ１４０を使用することにより、効率の改善が達成されている。
【００１６】
複数のアンテナ１４５、１４７、および１４８がアーキテクチャ１４０内に示されており、各アンテナが、カバレッジ・エリア１５０に関する指向性伝送１７５、カバレッジ・エリア１５７に関する伝送１９０、およびカバレッジ・エリア１５５に関する指向性伝送１８０で示される、セルラ・ネットワークの異なる領域に向けられる。この状況では、セクタ化アーキテクチャによってシステム・キャパシティを改善することが可能である。
【００１７】
様々な伝送信号を重み付けすることにより、セクタ化アーキテクチャ２００について図２に示されるように、追加の効率および干渉の低減を達成することができる。複数のアンテナ２１５、２２０、２２７、および２３０が、セクタ化アンテナ・アーキテクチャ２００内で伝送を送る[ｄｉｒｅｃｔ  ｔｒａｎｓｍｉｓｓｉｏｎｓ]（または伝送を受信する）。指向性アンテナ・ビーム２３５が、アンテナ素子２３０などのアンテナ素子のアレイに適用される重み因子のセットで信号をスケーリングすることによって形成される。カバレッジ・エリア２３５内の所望の伝送２４５を受信する所望のユーザ２０５が示されており、所望の伝送２４５は、そのユーザ２０５に向けられることが意図される、強く重み付けされた[ｈｅａｖｉｌｙ  ｗｅｉｇｈｔｅｄ]伝送である。干渉ユーザ２１０が、そのユーザ２１０によって受ける干渉を低減するために弱く重み付けされた[ｌｅｓｓ  ｗｅｉｇｈｔｅｄ]伝送信号２４０と共に示されている。
【００１８】
図３では、プリコーディング・アーキテクチャ３００が示されており、データ入力３０１がユーザ選択構成要素３１０に供給される。ユーザ選択構成要素３１０は、適切なデータ信号線３１５を通じて、プリコーディング構成要素３２１に適切なデータを送る。各ユーザ３５０、３５１、３５２についての適切なデータは、チャネル符号化シンボル、チャネル・インターリーブ化シンボル、チャネル・レート整合シンボル、チャネル・スクランブル化シンボル、および／またはチャネル変調シンボル[ｃｈａｎｎｅｌ  ｅｎｃｏｄｅｄ，ｉｎｔｅｒｌｅａｖｅｄ，ｒａｔｅ−ｍａｔｃｈｅｄ，ｓｃｒａｍｂｌｅｄ  ａｎｄ／ｏｒ  ｍｏｄｕｌａｔｅｄ  ｓｙｍｂｏｌｓ]からなることができる。プリコーディング構成要素３２１は、複数のアンテナ３２０、３２２、または３２５上で送信すべき信号強度に関する適切な重み付けを実現する。目標とするユーザ３５０、３５１、および３５２に基づいて、こうした目標とするユーザのそれぞれに対する複数のアンテナの信号強度重み付けが調節され、所望のユーザに対するデータ転送の効率が向上し、システム上の他のユーザとの干渉が低減される。
【００１９】
信号強度に関する適切な重み付けを実現するためにプリコーディング構成要素３２１で使用すべき特定のコードの選択が、図４〜１１に書かれたいくつかのテーブルで示されている。図４では、一定係数２−Ｔｘコードブックが示されており、図５では、アンテナ選択２−Ｔｘコードブックが示されている。ＴＳ３６．２１１  ｖ８．２．０標準の下で受け入れられるコードブックが、図６に示されている。
【００２０】
図４、５、および６のコードブックを使用するコードブック選択について２つの可能な構成がある。一構成では、接続ポイント（基地局／アンテナ）が、ユーザが位置するセクタで使用するために、図４または５に示される２つのサブセットのうちの１つを選択することができる。接続ポイントは、図４または５に示されるコードブックだけを使用することなどで、同一のセクタ内のすべてのユーザ装置についてサブセット・コードブックを選択する。接続ポイントは、ユーザ装置のチャネル条件の何らかの知識に基づいて、ユーザ装置に関するコードブック・サブセットを選択する。チャネル条件情報は、ユーザ装置の位置情報、ユーザ装置への送信に関する誤り率、ユーザ装置への再送信数、およびダウンリンク伝送と同様のビーム・パターンを使用するアップリンク受信ビーム形成[ｕｐｌｉｎｋ  ｒｅｃｅｉｖｅｄ  ｂｅａｍ−ｆｏｒｍｉｎｇ]を用いたアップリンク・サウンディング[ｕｐｌｉｎｋ  ｓｏｕｎｄｉｎｇ]または他のアップリンク伝送に関する情報を含む。
【００２１】
第２の構成では、ユーザ装置は、図６で使用すべき適切なコードブック・サブセットを選択することができ、ユーザ装置は、２−Ｔｘ  ２伝送アンテナ・システム[２−Ｔｘ  ｔｗｏ  ｔｒａｎｓｍｉｓｓｉｏｎ  ａｎｔｅｎｎａ  ｓｙｓｔｅｍ]について合計９個の異なる別個の符号語の間から選択することができる。ユーザ装置は、どのコードブック・サブセットが選ばれるかを暗黙的または明示的に示すインジケータを送信する。第２の構成では、サブセット選択が、図６に示される符号語から選択された符号語に応じて上位層活動化[ｈｉｇｈｅｒ  ｌａｙｅｒ  ａｃｔｉｖａｔｉｏｎ]を介して命令され、サブセット内の選択された符号語の索引が、２ビットを使用して、通常のＰＭＩフィードバック・インジケータ・フィールド値を介してシグナリングされる。この手法をサポートするために、ダウンリンク・シグナリングとアップリンク・シグナリングのどちらについても、ＰＭＩインジケータは２ビットを必要とする。
【００２２】
代替として、上記の図４または５で示される様々なコードブックの代わりに、図７に示されるコードブックを代用することができる。先に確認した図４〜７のコードブックを使用する代わりに、本発明は、図８および９に示されるコードブック・サブセットの使用もサポートし、そのどちらも上記の構成で使用することができる。すなわち、２つの構成を使用して図８および９のコードブックを選択することができる。
【００２３】
一構成では、接続ポイント（基地局／アンテナ）が、ユーザが位置するセクタで使用するために、図７と、図８または９に示される２つのサブセットのうちの１つを選択することができる。接続ポイントは、図８または９に示されるコードブックだけを使用することなどで、同一のセクタ内のすべてのユーザ装置についてサブセット・コードブックを選択する。接続ポイントは、ユーザ装置のチャネル条件の何らかの知識に基づいて、ユーザ装置に関するコードブック・サブセットを選択する。チャネル条件情報は、ユーザ装置の位置情報、ユーザ装置への送信に関する誤り率、ユーザ装置への再送信数、およびダウンリンク伝送と同様のビーム・パターンを使用するアップリンク受信ビーム形成を用いたアップリンク・サウンディングまたは他のアップリンク伝送に関する情報を含む。
【００２４】
第２の構成では、ユーザ装置は、図８または９で使用すべき適切なコードブック・サブセットを選択することができ、ユーザ装置は、２伝送アンテナ（２−Ｔｘ）システムについて異なる別個の符号語の間から選択することができる。ユーザ装置は、どのコードブック・サブセットが選ばれるかを暗黙的または明示的に示すインジケータを送信する。第２の構成では、サブセット選択が、図７と、図８または９に示される符号語から選択された符号語に応じて上位層活動化を介して命令され、サブセット内の選択された符号語の索引が、２ビットを使用して、通常のＰＭＩフィードバック・インジケータ・フィールド値を介してシグナリングされる。この手法をサポートするために、ダウンリンク・シグナリングとアップリンク・シグナリングのどちらについても、ＰＭＩインジケータは２ビットを必要とする。
【００２５】
さらに、接続ポイントは、ユーザが位置するセクタで使用するために、図１０および１１に示されるより大きなコードブック・サブセット・テーブルを使用することもできる。接続ポイントは、図１０または１１に示されるコードブックだけを使用することなどで、同一のセクタ内のすべてのユーザ装置についてコードブックを選択する。この手法をサポートするために、アンテナ選択符号語を伴う元のコードブックが、３ビットを使用して最適化され、ダウンリンク・シグナリングとアップリンク・シグナリングのどちらについても、ＰＭＩインジケータは、数が増加した符号語の適切な選択を可能にするために３ビットを必要とする。無線資源構成（ＲＲＣ）シグナリングを使用してこの構成についてのコードブック・サブセットの選択を構成することもでき、ＲＲＣシグナリングは、システムで設定された他のデフォルト・コードブック・サブセットの代わりに図１０または１１のコードブックの使用を選択することができる。接続ポイントは、ユーザ装置のチャネル条件の何らかの知識に基づいて、ユーザ装置に関するコードブック・サブセットを選択することもできる。チャネル条件情報は、ユーザ装置の位置情報、ユーザ装置への送信に関する誤り率、ユーザ装置への再送信数、およびダウンリンク伝送と同様のビーム・パターンを使用するアップリンク受信ビーム形成を用いたアップリンク・サウンディングまたは他のアップリンク伝送に関する情報を含む。
【００２６】
アンテナ・ビーム・インジケータを使用して信号強度重み付けの適用を最適化することもできる。インジケータは、アップリンクまたはダウンリンク伝送パケット内のフィールドでよい。そのようなインジケータについての長さ（ビット数）は、ネットワーク位置で利用可能なアンテナ数に依存する。１ビット長は２アンテナ・アーキテクチャにとって十分であり、２ビットは最大４つのアンテナを指定するのに十分である。ビットマップに従ってアンテナ・ビーム・インジケータを指定することもでき、各ビットが、ユーザ装置と通信するのに使用することのできる利用可能なビームのうちの１つを特定する。
【００２７】
特定のビーム位置に基づいて、ユーザ装置は、どのビームがそのユーザ装置に対して最良のカバレッジを提供することができるかを示すインジケータ・ビット値またはビットマップ値を提供する。特定の期間にわたるアンテナ・ビーム・インジケータの使用は、ユーザ装置移動度に依存し、インジケータは、低速で移動するユーザ装置について長期間有効であり、高速で移動するユーザ装置について短期間有効である。したがって、変化に対応する周期性でアンテナ・ビーム表示を更新する必要がある。
【００２８】
ユーザ装置からのサウンディング、ランダム・アクセス、または他のタイプのアップリンク伝送の解析などのアップリンク伝送条件の推定により、アンテナ・ビーム・インジケータの使用が可能になる。アクセス・ポイントは、方向決定アルゴリズム[ｄｉｒｅｃｔｉｏｎ−ｆｉｎｄｉｎｇ  ａｌｇｏｒｉｔｈｍ]を使用して、ＳＤＭＡプロトコルを使用するユーザ装置に関するビーム索引を求めることもできる。ＣＱＩ索引を使用して、アクセス・ポイントに選択情報を提供することができ、アクセス・ポイントは、ユーザ装置に対するサービング・ビーム[ｓｅｒｖｉｎｇ  ｂｅａｍ]の信号対干渉雑音比および識別を解析することもできる。
【００２９】
スイッチング・ビームまたはオポチューニスティック・ビーム[ｏｐｐｏｒｔｕｎｉｓｔｉｃｋ  ｂｅａｍｓ]（例えばＯＳＴＭＡ）を用いるシステムでは、ユーザ装置がスイッチオン（電源オン）されたビームのカバレッジ・エリア内にあるとき、ユーザ装置は、ＣＱＩ索引を提供する。ビーム・パターンはアクセス・ポイントにとって既知であるので、ＣＱＩがアクセス・ポイントで受信された時間に基づいて、ビーム索引を暗黙的に求めることができる。
【００３０】
上述の技術により、閉ループ動作でのＵＥフィードバックのための追加のコードブックの構成が可能となり、その結果、様々なアンテナ構成、例えば相関アンテナ・システム、無相関アンテナ・システム、または交差偏波アンテナ・システム[ｃｒｏｓｓ−ｐｏｌａｒｉｚｅｄ  ａｎｔｅｎｎａ  ｓｙｓｔｅｍｓ]をサポートするためにより適切なコードブックを使用することができる。様々な配置シナリオにとって好ましい様々なアンテナ構成、例えば相関アンテナ・システム、無相関アンテナ・システム、または交差偏波アンテナ・システムのサポートを可能にするために、ＬＴＥ−Ａｄｖａｎｃｅｄが、閉ループ動作でのＵＥフィードバックのために使用すべき追加のコードブックをサポートすることができる。後方互換性のために、上位層（ＲＲＣ）シグナリングを使用して、ＵＥ機能、例えばＲｅｌ−８  ＵＥまたはＬＴＥ−Ａ  ＵＥ、および配置構成、例えば相関アンテナ・システム、無相関アンテナ・システム、または交差偏波アンテナ・システムに応じて、ＵＥの一部またはすべてによる異なるコードブックの使用を好都合に構成することができる。コードブックが構成可能であるので、配置されるシステムでより高いキャパシティが必要とされるときに、より大きなＵＥ特有のコードブックを構成することができる。そうでない場合、より小さいコードブックを使用して、ＵＥの複雑さを最小限に抑えることができる。
【００３１】
上記では本発明の特定の実施形態を参照したが、添付の特許請求の範囲によってその範囲が定義される本発明の原理および精神から逸脱することなく、この実施形態の変更を行えることを当業者は理解されよう。
【図１】
0005792058.tif 000010
【図２】
0005792058.tif 000011
【図３】
0005792058.tif 000012
【図４】
0005792058.tif 000013
【図５】
0005792058.tif 000014
【図６】
0005792058.tif 000015
【図７】
0005792058.tif 000016
【図８】
0005792058.tif 000017
【図９】
0005792058.tif 000018
【図１０】
0005792058.tif 000019
【図１１】
0005792058.tif 000020